【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
イベント情報の可変要素が変動する度に該イベント情報が示すイベントに係る場の特徴量を該変動後の可変要素を加味して再計算する再計算手段と、
前記再計算手段により場の特徴量が再計算される度に該場の特徴量の要素とユーザ情報の対応する属性値とをそれぞれ対比して追算定対象ユーザの前記イベントに対する親和度をそれぞれ追算定する追算定手段と、
を備える情報処理装置。
【請求項２】
前記追算定手段による追算定後の親和度が所定条件を初めて満たす差分ユーザを特定する特定手段と、
ユーザに対して情報を報知する報知手段に前記特定手段により特定される差分ユーザの少なくともいずれかに対して前記イベントを追報知させる指示情報を出力する指示手段と、
をさらに備える請求項１に記載の情報処理装置。
【請求項３】
前記可変要素は、前記イベントの企画者及び参加予定者に関するアフィニティパラメータであり、
前記追算定手段が、前記再計算手段により再計算される場の特徴量との関係でアフィニティマッチングの度合いが変動したユーザ情報に対応する前記追算定対象ユーザの前記イベントに対する親和度をそれぞれ追算定する、
請求項２に記載の情報処理装置。
【請求項４】
前記追算定手段が、前記再計算手段により再計算される場の特徴量との関係で前記アフィニティマッチングの度合いが増大し所定の下限値をクリアしたユーザ情報に対応する前記追算定対象ユーザの前記イベントに対する親和度をそれぞれ追算定し、
前記特定手段が、前記追算定手段による追算定後の親和度が所定の基準値以上又はこれを超えるという前記所定条件を初めて満たす前記差分ユーザを特定する、
請求項３に記載の情報処理装置。
【請求項５】
前記イベントに係る場の特徴量を変動させる参加表明をした追加の参加予定者に前記特定手段により特定される差分ユーザを提示する提示手段をさらに備える、
請求項３又は請求項４に記載の情報処理装置。
【請求項６】
前記指示手段が、前記追報知手段に前記提示手段により提示される差分ユーザの中から前記追加の参加予定者が指定する追報知対象ユーザに対して前記イベントを追報知させる、
請求項５に記載の情報処理装置。
【請求項７】
イベント情報の可変要素が変動する度に該イベント情報が示すイベントに係る場の特徴量を該変動後の可変要素を加味して再計算する再計算ステップと、
前記再計算ステップにおいて場の特徴量が再計算される度に該場の特徴量の要素とユーザ情報の対応する属性値とをそれぞれ対比して追算定対象ユーザの前記イベントに対する親和度をそれぞれ追算定する追算定ステップと、
を含む、情報処理装置の制御方法。
【請求項８】
イベント情報の可変要素が変動する度に該イベント情報が示すイベントに係る場の特徴量を該変動後の可変要素を加味して再計算する再計算機能と、
前記再計算機能により場の特徴量が再計算される度に該場の特徴量の要素とユーザ情報の対応する属性値とをそれぞれ対比して追算定対象ユーザの前記イベントに対する親和度をそれぞれ追算定する追算定機能と、
を情報処理装置のコンピュータに実現させる制御プログラム。
【手続補正２】
【補正対象書類名】明細書
【補正対象項目名】発明の名称
【補正方法】変更
【補正の内容】
【発明の名称】情報処理装置並びにその制御方法及び制御プログラム
【手続補正３】
【補正対象書類名】明細書
【補正対象項目名】０００１
【補正方法】変更
【補正の内容】
【０００１】
本発明は、特定の業種に特に適合する情報処理システムに関する。具体的には、ＳＮＳ（ソーシャルネットワーキングサービス）などの人と人とのつながりを促進するサービスにおいて、イベントとユーザとの間の親和度を算定する仕組みに関する。
【手続補正４】
【補正対象書類名】明細書
【補正対象項目名】００１２
【補正方法】変更
【補正の内容】
【００１２】
本発明が解決しようとする課題は、特にネットワーキングサービスにおいて提供される「イベント」機能において、当該イベントとユーザとの間の親和度を動的に把握することである。
【手続補正５】
【補正対象書類名】明細書
【補正対象項目名】００１３
【補正方法】変更
【補正の内容】
【００１３】
上記課題を解決するため、本発明の一態様に係る「情報処理装置」は、イベント情報の可変要素が変動する度に該イベント情報が示すイベントに係る場の特徴量を該変動後の可変要素を加味して再計算する再計算手段と、前記再計算手段により場の特徴量が再計算される度に該場の特徴量の要素とユーザ情報の対応する属性値とをそれぞれ対比して追算定対象ユーザの前記イベントに対する親和度をそれぞれ追算定する追算定手段と、を備える。
上記課題を解決するため、本発明の一態様に係る「情報処理装置の制御方法」は、イベント情報の可変要素が変動する度に該イベント情報が示すイベントに係る場の特徴量を該変動後の可変要素を加味して再計算する再計算ステップと、前記再計算ステップにおいて場の特徴量が再計算される度に該場の特徴量の要素とユーザ情報の対応する属性値とをそれぞれ対比して追算定対象ユーザの前記イベントに対する親和度をそれぞれ追算定する追算定ステップと、を含む。
上記課題を解決するため、本発明の一態様に係る「制御プログラム」は、イベント情報の可変要素が変動する度に該イベント情報が示すイベントに係る場の特徴量を該変動後の可変要素を加味して再計算する再計算機能と、前記再計算機能により場の特徴量が再計算される度に該場の特徴量の要素とユーザ情報の対応する属性値とをそれぞれ対比して追算定対象ユーザの前記イベントに対する親和度をそれぞれ追算定する追算定機能と、を情報処理装置のコンピュータに実現させる。
【手続補正６】
【補正対象書類名】明細書
【補正対象項目名】００１４
【補正方法】変更
【補正の内容】
【００１４】
本発明の一態様に係る「情報処理装置」には、下記の技術的限定を加えてもよい。また、同様の技術的限定を、本発明の一態様に係る「情報処理装置の制御方法」及び「制御プログラム」に加えてもよい。
〔１〕前記追算定手段による追算定後の親和度が所定条件を初めて満たす差分ユーザを特定する特定手段と、ユーザに対して情報を報知する報知手段に前記特定手段により特定される差分ユーザの少なくともいずれかに対して前記イベントを追報知させる指示情報を出力する指示手段と、をさらに備える、という技術的限定を加えてもよい。
〔２〕上記〔１〕の技術的限定を加えた発明に、前記可変要素は、前記イベントの企画者及び参加予定者に関するアフィニティパラメータであり、前記追算定手段が、前記再計算手段により再計算される場の特徴量との関係でアフィニティマッチングの度合いが変動したユーザ情報に対応する前記追算定対象ユーザの前記イベントに対する親和度をそれぞれ追算定する、という技術的限定をさらに加えてもよい。
〔３〕上記〔２〕の技術的限定を加えた発明に、前記追算定手段が、前記再計算手段により再計算される場の特徴量との関係で前記アフィニティマッチングの度合いが増大し所定の下限値をクリアしたユーザ情報に対応する前記追算定対象ユーザの前記イベントに対する親和度をそれぞれ追算定し、前記特定手段が、前記追算定手段による追算定後の親和度が所定の基準値以上又はこれを超えるという前記所定条件を初めて満たす前記差分ユーザを特定する、という技術的限定をさらに加えてもよい。
〔４〕上記〔２〕又は上記〔３〕の技術的限定を加えた発明に、前記イベントに係る場の特徴量を変動させる参加表明をした追加の参加予定者に前記特定手段により特定される差分ユーザを提示する提示手段をさらに備える、という技術的限定をさらに加えてもよい。
〔５〕上記〔４〕の技術的限定を加えた発明に、前記指示手段が、前記追報知手段に前記提示手段により提示される差分ユーザの中から前記追加の参加予定者が指定する追報知対象ユーザに対して前記イベントを追報知させる、という技術的限定をさらに加えてもよい。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
なお本発明において、
「イベント」とは、一のユーザが企画のコンセプト、日時、場所などの企画の要件を定義し、これに企画者（発起人）が他のユーザを招待し、或いは招待されたユーザが更に他のユーザを招待することで複数のユーザが体験をオンライン／オフラインのいずれか或いはその両方で共有するものをいい、サービス内での呼称は問わない。「ユーザ」は、典型的にはネットワーキングサービスの会員があてはまるが、必ずしもＳＮＳの形態を有している必要はなく、短期的に参加可能な企画サイトの会員であってもよい。
【手続補正１１】
【補正対象書類名】明細書
【補正対象項目名】００２５
【補正方法】変更
【補正の内容】
【００２５】
本発明によれば、イベントに係る可変要素の変動（例えば、イベントへの参加者の追加やインテレストの変更など）の都度当該イベントに対する親和度が算定されることとなるから、イベントとユーザとの間の親和度を動的に把握することが可能となる。これにより、例えば、発起人或いは参加済みユーザの個人的記憶に基づいた招待ユーザの選定よりも的確に当該イベントにふさわしいユーザが提示され、ユーザにとってはより自分に適したイベントの情報を得ることができ、イベントもより適切なユーザが多く参加する可能性が高まり、ネットワーキングサービスとしての交流機会の増大につながる。
【手続補正１２】
【補正対象書類名】明細書
【補正対象項目名】００５５
【補正方法】変更
【補正の内容】
【００５５】
このように、本発明による親和度算定プログラムによって、イベントに係る可変要素の変動（例えば、イベントへの参加者の追加やインテレストの変更など）の都度当該イベントに対する親和度が算定されることとなるから、イベントとユーザとの間の親和度を動的に把握することが可能となる。この親和度を更なるユーザ参加を促すようなレコメンド装置やフィード配信装置、フィード制御装置に適用することにより、ユーザにとってより適切なイベントの存在を知り、参加し、他のユーザとの交流機会が増大し、トラフィックの向上に寄与することとなる。ひいてはユーザ同士の交流頻度が高まることで、個々のユーザにとってのサービスの利用価値が向上するとともに、ネットワーキングサービスの媒体としての商業的価値の更なる向上に寄与しうる。